(57)【要約】【課題】  手摺体の外表面に発光性の方向指示図形を設けた手摺において、該方向指示図形による指示方向の把握を容易とし、その方向指示機能、誘導機能を高める。【解決手段】    手摺体１の外表面に、蓄光剤が混入された塗料を用いて多数の方向指示図形６を設けると共に、各方向指示図形６における蓄光剤混入率を指示方向前方側ほど高く設定する。係る構成とすることで、例えば、夜間の停電時等の暗闇空間においては、方向指示図形６が蓄光剤の発光作用によって発光することで、例え方向指示図形６の形状的概念に基づく方向指示機能の達成が困難な状況下であっても、方向指示図形６の部位間、あるいは複数の方向指示図形６相互間における輝度差から看者は該方向指示図形６が指示する方向を容易且つ的確に把握することができ、本来の歩行介助機能に加えて、高い誘導機能をもつ商品価値の高い手摺を提供することができる。【選択図】        図２
2005256371.tif 000002
【特許請求の範囲】
【請求項１】
支持ブラケット（３）を介して壁面（Ｗ）に取り付けられる手摺体（１）の外表面に、蓄光剤が混入された塗料を用いて描かれた多数の方向指示図形（６）が所定間隔で設けられると共に、
上記各方向指示図形（６）においては蓄光剤混入率が指示方向前方側ほど高くなるように設定されていることを特徴とする手摺。
【請求項２】
支持ブラケット（３）を介して壁面（Ｗ）に取り付けられる手摺体（１）の外表面に、蓄光剤が混入された塗料を用いて描かれた多数の方向指示図形（６）が所定間隔で設けられると共に、
上記多数の方向指示図形（６）が所定個数毎にグループ化され、該各グループに属する各方向指示図形（６）においては蓄光剤混入率が指示方向前方寄りに位置する方向指示図形（６）ほど高くなるように設定されていることを特徴とする手摺。
【請求項３】
請求項１又は２において、
上記方向指示図形（６）が、上記手摺体（１）の外表面の一側にその軸方向に延設された嵌合溝（１１）に嵌合固定される表示体（２）の表面に設けられていることを特徴とする手摺。
【請求項４】
請求項３において、
上記方向指示図形（６）が、上記表示体（２）の表面に貼付されるシート材（５）に設けられていることを特徴とする手摺装置。
【発明の詳細な説明】
【技術分野】
【０００１】
本願発明は、誘導機能をもった手摺に関するものである。
【背景技術】
【０００２】
従来、手摺は歩行者の歩行介助をその本来的機能とし且つこれで十分であると考えられてきた。しかし、この手摺は、棒状の手摺体を通路壁面に沿って配置して構成されるものであることから、係る配置上の特質を利用することで、例えば、夜間の停電時に歩行者に手摺体の存在、延いては通路壁面の存在を視認させて避難時の安全性を確保するという思想、即ち、手摺体に視認機能をもたせるという思想があり、そのための具体的手段として、手摺体の表面に、その軸方向に延びる帯状の表示部を設けるとともに、該表示部に蓄光剤を含有した発光層を設け、該発光層の発光によって上記表示部を暗闇の中で浮かび上がらせて上記手摺体の存在の視認を容易ならしめるようにしたものがある（特許文献１及び２参照）。
【０００３】
また、上記の如き「手摺体に視認機能をもたせる」という思想をさらに進めて、上記手摺体に設けられる上記表示部に、方向指示機能をもつ図形を描き、該図形によって歩行者の避難誘導を行わせる「誘導機能」を付加する思想もある（特許文献３参照）。
【特許文献１】特開２００２−６１３６０号公報（段落「０００７」〜「０００９」，図１、図２）
【特許文献２】特開平１１−１０７４７６号公報（段落「００１０」、［００１６］，図１）。
【特許文献３】特開２０００−２１２０１号公報（段落「０００９」〜「００１１」，図３）。
【発明の開示】
【発明が解決しようとする課題】
【０００４】
このように、手摺体に発光性の表示部を設け、且つ該表示部に方向指示機能をもつ図形を描き、該手摺体に視認機能と誘導機能をもたせることで、例えば夜間の停電時には発光する表示体によって歩行者を避難口に誘導して避難時の安全性を確保することができる。
【０００５】
しかし、表示部に方向指示機能をもつ図形を描いて手摺体に視認機能と誘導機能をもたせたとしても、この図形がもつ方向指示機能は、該図形を視認する看者が、その形状を明確に認識し且つその形状的概念から生じる指示方向を的確に把握することによって初めて発揮されるものであって、ただ漠然とその図形を視認するのみでは方向指示機能を十分に発揮させることはできない。
【０００６】
従って、例えば、避難時のような緊迫した状況下においては、上記方向指示図形の形状を的確に把握することが困難である場合が多いことから、手摺体に設けた発光性の表示部に方向指示機能をもつ図形を描いて該手摺体に視認機能と誘導機能をもたせる、という所期の目的の達成が困難となることが懸念される。このため、例え方向指示図形の形状そのものを明確に把握できなくても、該方向指示図形の指示する方向を的確に把握し得る手段の開発が要請されるところである。
【０００７】
そこで本願発明は、手摺体の外表面に発光性の方向指示図形を描いてなる手摺において、
該方向指示図形による指示方向の把握を容易とし、その方向指示機能を高めることを目的としてなされたものである。
【課題を解決するための手段】
【０００８】
本願発明ではかかる課題を解決するための具体的手段として次のような構成を採用している。
【０００９】
本願の第１の発明に係る手摺では、支持ブラケット３を介して壁面Ｗに取り付けられる手摺体１の外表面に、蓄光剤が混入された塗料を用いて描かれた多数の方向指示図形６を所定間隔で設けると共に、上記各方向指示図形６においては蓄光剤混入率を指示方向前方側ほど高くなるように設定したことを特徴としている。
【００１０】
本願の第２の発明に係る手摺では、支持ブラケット３を介して壁面Ｗに取り付けられる手摺体１の外表面に、蓄光剤が混入された塗料を用いて描かれた多数の方向指示図形６を所定間隔で設けると共に、上記多数の方向指示図形６を所定個数毎にグループ化し、該各グループに属する各方向指示図形６においては蓄光剤混入率を指示方向前方寄りに位置する方向指示図形６ほど高くなるように設定したことを特徴としている。
【００１１】
本願の第３の発明に係る手摺では、上記第１又は第２の発明に係る手摺において、上記方向指示図形６を、上記手摺体１の外表面の一側にその軸方向に延設された嵌合溝１１に嵌合固定される表示体２の表面に設けたことを特徴としている。
【００１２】
本願の第４の発明に係る手摺では、上記第３の発明に係る手摺において、上記方向指示図形６を、上記表示体２の表面に貼付されるシート材５に設けたことを特徴としている。
【発明の効果】
【００１３】
本願発明では以下のような特有の効果が得られる。
（ａ）  本願の第１の発明に係る手摺では、支持ブラケット３を介して壁面Ｗに取り付けられる手摺体１の外表面に、蓄光剤が混入された塗料を用いて描かれた多数の方向指示図形６を所定間隔で設けると共に、上記各方向指示図形６においては蓄光剤混入率を指示方向前方側ほど高くなるように設定している。
【００１４】
従って、この発明の手摺によれば、例えば、夜間の停電時等の暗闇中においては、蓄光剤が混入された塗料で描かれた上記方向指示図形６が、該蓄光剤の発光作用によって発光し、これによって上記方向指示図形６の存在、延いては通路壁面に沿って配置された手摺体の存在が、暗闇空間に存する看者によって確認される。そして、上記方向指示図形６が方向指示機能をもつことから、例えば、この方向指示図形６が避難方向あるいは避難口がある方向を示す図形である場合には、この方向指示図形６を視認しこれが指示する方向を確認した看者は、その指示方向に移動することで安全且つ迅速に避難することができる。
【００１５】
さらに、この発明では、上記方向指示図形６を描くための塗料の蓄光剤混入率を、該方向指示図形６全体で均一とするのではなく、該方向指示図形６が示す方向の前方側ほど高くなるように設定しているので、該方向指示図形６が発光表示された場合、その指示方向前方側（即ち、蓄光剤混入率が高い部位）はその輝度が高く、後方側（即ち、蓄光剤混入率が低い部位）はその輝度が低くなる。そして、輝度の異なる部位が一定方向に連続する場合、これを視認する看者は、感覚的に且つ直感的に、輝度の低い側から輝度の高い側への方向性を意識するのが通例であることは経験的に知られている。
【００１６】
従って、上記方向指示図形６を視認する看者は、該方向指示図形６が示す方向を、該方向指示図形６の形状的概念からではなく、該方向指示図形６の部位間の輝度差から容易に把握することができる。そして、このような方向指示図形６の輝度差に基づく指示方向の把握は、該方向指示図形６の形状の明確な認識を前提とせず、単に方向指示図形６の輝度差さえ認識できれば十分であることから、該方向指示図形６の形状的概念に基づく指示方向の認識の場合のように該方向指示図形６の形状の明確な認識を前提とするものに比して、指示方向の確認が容易且つ確実である。
【００１７】
このため、上記方向指示図形６に接した看者は、該方向指示図形６の形状的概念からこれが指示する方向（例えば、矢印の矢の方向）を認識している場合には、さらにこれに加えて、該方向指示図形６の輝度差に基づいてその指示方向を認識することで、該指示方向をより一層明確且つ確実に把握することができる。また、例え看者が上記方向指示図形６の形状的概念からこれが示す方向を認識していない場合でも、上記方向指示図形６の部位間の輝度差に基づいてこれが示す方向を容易且つ確実に把握することができる。
【００１８】
この結果、上記何れの場合においても、看者が方向指示図形６の指示方向を容易且つ確実に把握できることから、該方向指示図形６のもつ誘導機能が最大限発揮され、本来の歩行介助機能に加えて、高い誘導機能をもつ商品価値の高い手摺を提供することができることになる。
（ｂ）  本願の第２の発明に係る手摺では、支持ブラケット３を介して壁面Ｗに取り付けられる手摺体１の外表面に、蓄光剤が混入された塗料を用いて描かれた多数の方向指示図形６を所定間隔で設けると共に、上記多数の方向指示図形６を所定個数毎にグループ化し、該各グループに属する各方向指示図形６においては蓄光剤混入率を指示方向前方寄りに位置する方向指示図形６ほど高くなるように設定している。
【００１９】
従って、この発明の手摺によれば、例えば、夜間の停電時等の暗闇空間においては、蓄光剤が混入された塗料で描かれた上記方向指示図形６が、該蓄光剤の発光作用によって発光し、これによって上記方向指示図形６の存在、延いては通路壁面に沿って配置された手摺体の存在が、暗闇空間に存する看者によって確認される。そして、上記方向指示図形６が方向指示機能をもつことから、例えば、この方向指示図形６が避難方向あるいは避難口がある方向を示す図形である場合は、この方向指示図形６を視認これが指示する方向を確認した看者は、その指示方向に移動することで安全且つ迅速に避難することができる。
【００２０】
さらに、この発明では、上記多数の方向指示図形６を所定個数毎にグループ化し、該各グループに属する各方向指示図形６においては蓄光剤混入率を指示方向前方寄りに位置する方向指示図形６ほど高くなるように設定しているので、該方向指示図形６が発光表示された場合、上記各グループにおいては、指示方向前方寄りに位置する方向指示図形６（即ち、蓄光剤混入率が高い方向指示図形６）はその輝度が高く、指示方向後方側に位置する方向指示図形６（即ち、蓄光剤混入率が低い方向指示図形６）はその輝度が低くなる。そして、輝度の異なる部位が一定方向に連続する場合、これを視認する看者は、感覚的に且つ直感的に、輝度の低い側から輝度の高い側への方向性を意識するのが通例であることは経験的に知られている。
【００２１】
従って、これら各グループに属する方向指示図形６に接する看者は、この各グループに属する各方向指示図形６が示す方向を、該方向指示図形６の形状的概念からではなく、各グループに属する各方向指示図形６相互間の輝度差から容易に把握することができる。そして、このような方向指示図形６相互間の輝度差に基づく指示方向の把握は、該方向指示図形６の形状の明確な認識を前提とせず、単に輝度差さえ認識できれば十分であることから、該方向指示図形６の形状的概念に基づく指示方向の認識の場合のように該方向指示図形６の形状の明確な認識を前提とするものに比して、指示方向の確認が容易且つ確実である。
【００２２】
このため、これら各グループに属する方向指示図形６に接する看者は、この各グループに属する各方向指示図形６相互間の輝度差から、該各グループのそれぞれが、輝度の低い方向指示図形６側から輝度の高い方向指示図形６側に向かう方向を指示していることを容易意且つ確実に把握することができる。そして、上記各グループに属する上記方向指示図形６に接した看者は、上記各方向指示図形６の形状的概念に基づく方向（例えば、矢印の矢の方向）を認識している場合には、さらにそれに加えて、上記各グループ内での各方向指示図形６相互間での輝度差に基づいてその指示方向を認識することで、該指示方向をより一層明確に把握することができる。また、上記方向指示図形６が形状的に示す方向を認識していない場合でも、上記各グループ内での各方向指示図形６相互間の輝度差に基づいてこれが示す方向を容易且つ確実に把握することができる。
【００２３】
この結果、これら何れの場合においても、看者が方向指示図形６の指示方向を的確且つ確実に認識できることで該方向指示図形６のもつ誘導機能が最大限発揮され、本来の歩行介助機能に加えて、高い誘導機能をもつ商品価値の高い手摺を提供することができる。
（ｃ）  本願の第３の発明に係る手摺によれば、上記（ａ）又は（ｂ）に記載の効果に加えて以下のような特有の効果が得られる。即ち、この発明では、上記方向指示図形６を、上記手摺体１の外表面の一側にその軸方向に延設された嵌合溝１１に嵌合固定される表示体２の表面に設けるようにしているので、上記表示体２を上記手摺体１から取り外した状態で該表示体２の表面に上記方向指示図形６を印刷等によって描くことで、例えば、上記方向指示図形６を上記手摺体１の表面に直接設ける場合に比して、その作業が容易となり、それだけコストダウンが期待できる。
（ｄ）  本願の第４の発明に係る手摺によれば、上記（ｃ）に記載の効果に加えて以下のような特有の効果が得られる。即ち、この発明では、上記方向指示図形６を、上記表示体２の表面に貼付されるシート材５に描いているので、例えば、上記表示体２に直接上記方向指示図形６を描く場合に比してその作業が容易であり、また、例え上記表示体２が長尺であったとしてもその長さに制約を受けることなく該表示体２に上記方向指示図形６を容易に設けることができ、これらの相乗効果として、更なるコストダウンが期待できる。
【発明を実施するための最良の形態】
【００２４】
図１には、略直交状に延びる壁面Ｗに本願発明に係る手摺Ｚを設置した状態を示している。この手摺Ｚは、次述の手摺体１を支持ブラケット３によって上記壁面Ｗに取り付けて構成される。そして、この手摺体１の反壁面側の一側には、次述の表示体２が設けられており、該手摺体１はこの表示体２が設けられることで、それ本来の歩行介助機能に加えて、誘導機能を、昼間は勿論のこと、夜間停電時等の暗闇環境下においても、発揮するものである。以下、この手摺体１及び表示体２の構成等を具体的に説明する。
【００２５】
上記手摺体１は、図２及び図３に示すように、直棒状形態をもつものであって、その一側（具体的には、上記手摺体１を上記支持ブラケット３で支持した状態において反壁面側に位置する部位）には、その軸方向に延びると共にその両側壁にはそれぞれ係止部１２を備えた嵌合溝１１が凹設されている。そして、この嵌合溝１１には、次述の表示体２が着脱自在に嵌合固定されている。
【００２６】
上記表示体２は、図１及び図２に示すように上記手摺体１の嵌合溝１１に嵌合可能な幅寸法をもつと共にその表面を上記手摺体１の表面の曲率に合致した曲面とした帯板状の本体部２１と、該本体部２１の裏面両側縁にそれぞれ突設された左右一対の係止突条２３，２３を備えてなり、例えば、樹脂材の押し出し成形により製作される。そして、この表示体２は、上記手摺体１の上記嵌合溝１１に対して上記各係止突条２３，２３側から嵌挿され、且つ該各係止突条２３，２３を上記嵌合溝１１側の上記各係止部１２，１２に弾圧係止させることで着脱自在に固定される。尚、この表示体２の上記嵌合溝１１側への嵌挿固定状態においては、上記本体部２１の表面は、上記手摺体１の表面に連続する湾曲面を形成し、これと略一体化される。従って、上記手摺体１を手で把持する場合、上記表示体２の存在によって違和感を生じるということもなく、良好な把持感が得られる。
【００２７】
さらに、上記表示体２は、本願発明の要旨たる方向指示機能及び誘導機能を発揮する部分であって、該各機能を実現すべく、その本体部２１の表面には、次述の方向指示図形６が設けられている。そして、この実施形態では、上記方向指示図形６に大きく分けて三つの機能をもたせるようにしている。即ち、第１の機能は、上記方向指示図形６にその形状的概念に基づく方向指示機能を発揮させるための機能である。第２の機能は、暗闇空間内における上記方向指示図形６そのものに対する視認性を高めるための視認性確保機能である。第３の機能は、暗闇空間内において上記方向指示図形６の指示方向の認識性を高めるための方向認識向上機能である。以下、上記方向指示図形６の具体的構成等を、その機能毎にそれぞれ説明する。
【００２８】
Ａ：第１の機能
先ず、上記第１の機能、即ち、方向指示図形６の形状的概念に基づく方向指示機能に関する構成であるが、この実施形態では当該機能を実現するために、図２に示すように、上記方向指示図形６を略「く」字状の矢羽根形状とし、且つこの方向指示図形６を上記表示体２の表面に、同一方向に向け、しかも該表示体２の長手方向に所定間隔で多数設け、該方向指示図形６を視認する看者をして、該方向指示図形６の形状的概念から生じる方向性（即ち、矢羽根の先端が指向する方向）を認識させ得るようにしている。
【００２９】
従って、例えば、上記各方向指示図形６が示す方向が、避難経路の経路方向とか避難口がある場所を示すものである場合には、看者（即ち、避難する人）は上記方向指示図形６から把握される方向へ、上記手摺体１の延設方向に沿って、あるいは該手摺体１を把持しながら移動すれば、安全且つ迅速に非難することができることになる。このように、上記手摺体１を備えてなる手摺Ｚは、それ本来の機能である歩行介助機能のみならず、避難時等における誘導機能をも果たすものであり、特に高齢者とか身体障害者等の身体的弱者を主たる対象とする施設内に設置される手摺Ｚとして好適なものである。
【００３０】
ここで、上記方向指示図形６を上記表示体２の表面に設ける場合に好適な図形形成手法を幾つか説明する。
【００３１】
第１の図形形成手法は、図４に示すように、上記表示体２の本体部２１の表面に直接方向指示図形６を印刷によって設ける手法である。この手法では、先ず、上記本体部２１の表面に薄く下地印刷を施して下地層４を設ける。次に、この下地層４の表面に、重ねて上記方向指示図形６を印刷（例えば、スクリーン印刷）により設ける。さらに、上記方向指示図形６の保護という観点から、上記方向指示図形６を印刷した後、該方向指示図形６を含む上記本体部２１の表面全域を透明樹脂材でコーテイングする。以上で、上記表示体２の表面に上記方向指示図形６が設けられる。尚、この下地層４の色は、該下地層４の上に重ねて印刷される方向指示図形６とのコントラストを考慮し、該方向指示図形６の視認性を損なわないような色に設定される。
【００３２】
第２の図形形成手法は、図５に示すように、上記表示体２とは別途に用意した帯状のシート材５の表面に上記方向指示図形６を印刷すると共に、該シート材５の表面全域を透明樹脂材でコーテイングする。そして、この方向指示図形６が印刷されたシート材５を上記表示体２の本体部２１の表面に貼着するものである。
【００３３】
Ｂ：第２の機能
第２の機能は、暗闇空間内における上記方向指示図形６そのものの視認性を高めるための視認性確保機能であり、この実施形態では、上記方向指示図形６の印刷に使用する塗料として、所要色の顔料に、従来周知の適宜種類の蓄光剤を混入させた塗料を採用することで当該機能を実現している。
【００３４】
即ち、蓄光剤を混入させた塗料を用いて方向指示図形６を印刷した場合、この方向指示図形６が暗闇空間内に置かれると、上記塗料に混入された蓄光剤が発光し、この発光によって上記方向指示図形６が暗闇の中に浮かび上がり、暗闇中において看者をして該方向指示図形６の存在を認識させることができる（視認性確保機能の実現）と共に、該方向指示図形６の形状を認識することで該方向指示図形６の指示方向を知ることができる（形状的概念に基づく方向指示機能の実現）。
【００３５】
Ｃ：第３の機能
第３の機能は、暗闇環境下において上記方向指示図形６の指示方向の認識性を高め、看者をして該指示方向をより迅速且つ的確に把握させる機能である。この第３の機能を実現するために、この実施形態では次述のように、上記方向指示図形６における蓄光剤の発光作用による輝度に差をもたせることで、該方向指示図形６に接する看者をして該方向指示図形６の指示方向を、例え該方向指示図形６の形状の把握が十分でないような場合（即ち、形状的概念に基づく方向指示機能が低い場合）であっても、これを感覚的且つ直感的に把握させ得るようにすることで実現している。
【００３６】
ここで、この第３の機能を実現するための具体的な手法を幾つか説明する。
【００３７】
第１の手法は、図６に示すように、多数の方向指示図形６を同一方向に向けて所定間隔で設けるに際して、該方向指示図形６をその指示方向に前後する三つの部分６ａ，６ｂ、６ｃに仮想的に画成し、該各部分６ａ，６ｂ、６ｃを印刷する塗料の蓄光剤混入率を段階的に異ならせるものである。具体的には、上記方向指示図形６の印刷工程を三工程に分けた三度刷りとすると共に、上記方向指示図形６の各部分６ａ，６ｂ、６ｃの印刷に用いられる塗料の蓄光剤混入率を、指示方向先端側（即ち、方向指示図形６の尖頭側）に位置する前方部６ａから、指示方向先端側に位置する後方部６ｃに向けて段階的に減少させる。
【００３８】
このように上記方向指示図形６の三部分６ａ，６ｂ、６ｃの蓄光剤混入率を段階的に異ならせることで、塗料における蓄光剤の混入率と該蓄光剤の発光量（即ち、輝度）との間に比例関係があることからして、上記方向指示図形６においてはその輝度が、前方部６ａ→中間部６ｂ→後方部６ｃの順に段階的に減少変化することになる。この場合、輝度が段階的に変化する図形を視認した場合、輝度の低い側から輝度の高い側への方向性を認識するという人間の視覚特性からして、上記方向指示図形６に接する看者はその後方部６ｃ側から前方部６ａ側への方向性を感覚的に且つ直感的に認識することになる。
【００３９】
そして、例え、看者が上記方向指示図形６の形状を明確に認識していなくても（即ち、方向指示図形６の形状的概念から生じる指示方向を明確に認識していなくても）、上記方向指示図形６の各部分６ａ，６ｂ、６ｃ間の輝度差からその指示方向を明確に認識することができる（即ち、方向認識向上機能の実現である）。係る効果は、例えば、夜間の停電時等の暗闇空間内での移動を余儀なくされる場合のように、上記方向指示図形６が発光表示されているものの、精神的動揺等で該方向指示図形６の形状を明確に認識できないような状況下において、特に有効である。
【００４０】
第２の手法は、図７に示すように、多数の方向指示図形６を同一方向に向けて所定間隔で印刷するに際して、前後方向に隣接する複数個（この実施形態では３個）の方向指示図形６毎にグループ化すると共に、これら各グループ６Ａ，６Ｂ，・・のそれぞれにおいて、当該グループに属する三個の方向指示図形６，６，６相互間において印刷用塗料の蓄光剤混入率を異ならせるものである。具体的には、印刷用塗料の蓄光剤混入率を、当該グループに属する三個の方向指示図形６，６，６のうち、指示方向前端に位置する方向指示図形６から指示方向後端に位置する方向指示図形６に向けて段階的に減少変化するように設定するものである。尚、この場合、上記方向指示図形６の印刷工程を三工程（三度刷り）とし、且つ各工程における印刷用塗料の蓄光剤混入率を順次異ならせることは上記第１の手法の場合と同様である。
【００４１】
このように上記各グループ６Ａ，６Ｂ，・・においてこれに属する各方向指示図形６，６，６の蓄光剤混入率を段階的に異ならせ、その輝度を、指示方向前端側の方向指示図形６から指示方向後端側の方向指示図形６に向けて段階的に減少変化させることで、上記各方向指示図形６，６、・・に接する看者は、上記各グループ６Ａ，６Ｂ，・・毎に、その後端側の方向指示図形６から前端側の方向指示図形６への方向性を感覚的に且つ直感的に認識することになる。
【００４２】
従って、例え、看者が上記方向指示図形６の形状を明確に認識していなくても（即ち、方向指示図形６の形状的概念から生じる指示方向を明確に認識していなくても）、上記各グループ化に属する各方向指示図形６間の輝度差からその指示方向を明確に認識することができる。また、この場合、指示方向を上記各グループ６Ａ，６Ｂ，・・毎に長いスパーンで確認できるので、その確認の容易さという点においては、各方向指示図形６毎に短いスパーンで確認する上記第１の手法の場合よりも有利といえる。
【００４３】
尚、上記実施形態においては、上記方向指示図形６の形状を、略「く」字状の矢羽根形状としているが、本願発明は係る形状に限定されるものではなく、要は方向指示性を備えた形状であればよく、例えば、図８に示すような略楔形状とか、図９に示すような矢印形状等、種々選択し得るものである。
【図面の簡単な説明】
【００４４】
【図１】本願発明に係る手摺の設置状態を示す斜視図である。
【図２】図１に示した手摺の構造を示す要部斜視図である。
【図３】図２のＩＩＩ部の部分拡大図である。
【図４】図２に示した表示体の第１の構造例を示す拡大斜視図である。
【図５】図２に示した表示体の第２の構成例を示す拡大斜視図である。
【図６】表示体に設けられた方向指示図形の第１の具体例を示す平面図である。
【図７】表示体に設けられた方向指示図形の第２の具体例を示す平面図である。
【図８】方向指示図形の他の形状例を示す平面図である。
【図９】方向指示図形の他の形状例を示す平面図である。
【符号の説明】
【００４５】
１・・・・手摺体
２・・・・表示体
３・・・・支持ブラケット
４・・・・下地層
５・・・・シート材
６・・・・方向指示図形
１１・・・・嵌合溝
１２・・・・係止部
２１・・・・本体部
２２・・・・脚部
２３・・・・係止突条
【図１】
2005256371.tif 000003
【図２】
2005256371.tif 000004
【図３】
2005256371.tif 000005
【図４】
2005256371.tif 000006
【図５】
2005256371.tif 000007
【図６】
2005256371.tif 000008
【図７】
2005256371.tif 000009
【図８】
2005256371.tif 000010
【図９】
2005256371.tif 000011